(57)【要約】【課題】  本発明は、従来技術の持つ問題点を解消する、物体から回収する回転固定部材の回収作業が簡単な回収可能な回転固定部材の六角レンチ穴構造を提供することを目的とする。【解決手段】六角レンチと係合する六角レンチ穴を有し、一方の回転方向の回転で物体に固定され他方の回転方向の回転で回収される回転固定部材において、前記六角レンチ穴を上方から下方に向かってテーパー状に縮径する形状とすることを特徴とする。【選択図】  図８
2018059566.tif 000002
【特許請求の範囲】
【請求項１】
六角レンチと係合する六角レンチ穴を有し、一方の回転方向の回転で物体に固定され他方の回転方向の回転で回収される回転固定部材において、
前記六角レンチ穴を上方から下方に向かってテーパー状に縮径する形状とすることを特徴とする回収可能な回転固定部材の六角レンチ穴構造。
【請求項２】
前記回転固定部材物体を、物体に螺着される雄ネジ部を有する部材とすることを特徴とする請求項１に記載の回収可能な回転固定部材の六角レンチ穴構造。
【請求項３】
前記回転固定部材を、
筒状のアンカー本体と、
該アンカー本体の先端側に形成され周方向に等間隔に軸方向に伸びる複数のスリットにより複数に分割されバネ性を備えた板状部と板状部の先端に形成され板状部より肉厚な固定部と先端に向かって徐々に内側方向に向かって傾斜するように形成された内面を有する拡開片と、
アンカー本体の非拡開部側内面に形成された雌ねじと、
アンカー本体に挿入可能な略円柱形状で先端に載頭円錐形状の先端部と後端側にアンカー本体に形成した雌ねじと螺合する雄ねじと後端面に六角レンチ穴を形成した雄ねじ体とで構成されるあと施工アンカーとし、
雄ねじ体の雄ねじをアンカー本体の雌ねじに螺合して雄ねじ体を回転しつつ前進させ雄ねじ体の先端載頭円錐形状の先端部を拡開片の先端に向かって徐々に内側方向に向かって傾斜するように形成された内面に回転しつつ当接して拡開片を拡開し固定部の外面をアンカー挿嵌穴の穴壁に押圧して回転固定部材をアンカー挿嵌穴に固定し、雄ねじ体を逆方向に回転して後退させ板状部のバネ性により拡開片の拡開を閉じ回収し再使用可能とすることを特徴とする請求項１に記載の回収可能な回転固定部材の六角レンチ穴構造。
【発明の詳細な説明】
【技術分野】
【０００１】
本発明は、六角レンチの回転により物体に固定され、六角レンチによる逆回転により物体から回収される回転固定部材の六角レンチ穴構造に関する。
【背景技術】
【０００２】
従来、構造物や各種物体に六角レンチにより回転させて固定する回転固定部材として、各種物体に外周に雄ネジを形成した回転固定部材を螺着し固定し、回転固定部材を逆回転して回収する回転固定部材が知られている。
【０００３】
また、各種物体に形成されたアンカー挿嵌穴に挿入固定されるあと施工アンカーにおいて、筒状のアンカー本体と、該アンカー本体の先端側に形成され周方向に等間隔に軸方向に伸びる複数のスリットにより複数に分割されバネ性を備えた板状部と板状部の先端に形成され板状部より肉厚な固定部と先端に向かって徐々に内側方向に向かって傾斜するように形成された内面を有する拡開片と、アンカー本体の非拡開部側内面に形成された雌ねじと、アンカー本体に挿入可能な略円柱形状で先端に載頭円錐形状の先端部と後端側にアンカー本体に形成した雌ねじと螺合する雄ねじと後端面に回転工具係合部を形成した雄ねじ体とを備え、雄ねじ体の雄ねじをアンカー本体の雌ねじに螺合して雄ねじ体を回転しつつ前進させ雄ねじ体の先端載頭円錐形状の先端部を拡開片の先端に向かって徐々に内側方向に向かって傾斜するように形成された内面に回転しつつ当接して拡開片を拡開し固定部の外面をアンカー挿嵌穴の穴壁に押圧してあと施工アンカーをアンカー挿嵌穴に固定し、雄ねじ体を逆方向に回転して後退させ板状部のバネ性により拡開片の拡開を閉じ回収し再使用可能とするあと施工アンカーが提案されている。
【先行技術文献】
【特許文献】
【０００４】
【特許文献１】特開２００３−２９４１８９号公報
【特許文献２】特開２０１２−１８４５８１号公報
【発明の概要】
【発明が解決しようとする課題】
【０００５】
しかしながら、従来の回転固定部材の六角レンチ穴はストレートであるため、六角レンチで逆回転して回転固定部材を回収する際、六角レンチを六角レンチ穴から引き抜くと固定を解除された回転固定部材が物体にそのまま残ったり、六角レンチから落下してしまい、回収作業が困難になるという問題を有していた。
【０００６】
本発明は、従来技術の持つ問題点を解消する、物体から回収する回転固定部材の回収作業が簡単な回収可能な回転固定部材の六角レンチ穴構造を提供することを目的とする。
【課題を解決するための手段】
【０００７】
本発明の回収可能な回転固定部材の六角レンチ穴構造は、前記課題を解決するために、六角レンチと係合する六角レンチ穴を有し、一方の回転方向の回転で物体に固定され他方の回転方向の回転で回収される回転固定部材において、
前記六角レンチ穴を上方から下方に向かってテーパー状に縮径する形状とすることを特徴とする。
【０００８】
また、本発明の回収可能な回転固定部材の六角レンチ穴構造は、前記回転固定部材物体を、物体に螺着される雄ネジ部を有する部材とすることを特徴とする。
【０００９】
また、本発明の回収可能な回転固定部材の六角レンチ穴構造は、前記回転固定部材を、筒状のアンカー本体と、該アンカー本体の先端側に形成され周方向に等間隔に軸方向に伸びる複数のスリットにより複数に分割されバネ性を備えた板状部と板状部の先端に形成され板状部より肉厚な固定部と先端に向かって徐々に内側方向に向かって傾斜するように形成された内面を有する拡開片と、アンカー本体の非拡開部側内面に形成された雌ねじと、アンカー本体に挿入可能な略円柱形状で先端に載頭円錐形状の先端部と後端側にアンカー本体に形成した雌ねじと螺合する雄ねじと後端面に六角レンチ穴を形成した雄ねじ体とで構成されるあと施工アンカーとし、雄ねじ体の雄ねじをアンカー本体の雌ねじに螺合して雄ねじ体を回転しつつ前進させ雄ねじ体の先端載頭円錐形状の先端部を拡開片の先端に向かって徐々に内側方向に向かって傾斜するように形成された内面に回転しつつ当接して拡開片を拡開し固定部の外面をアンカー挿嵌穴の穴壁に押圧して回転固定部材をアンカー挿嵌穴に固定し、雄ねじ体を逆方向に回転して後退させ板状部のバネ性により拡開片の拡開を閉じ回収し再使用可能とすることを特徴とする。
【発明の効果】
【００１０】
六角レンチと係合する六角レンチ穴を有し、一方の回転方向の回転で物体に固定され他方の回転方向の回転で回収される回転固定部材において、前記六角レンチ穴を上方から下方に向かってテーパー状に縮径する形状とすることすることで、六角レンチの先端が六角レンチ穴と点接触し全体としては六角レンチ穴に線接触するので六角レンチの回転力が効率良く回転固定部材に伝達され、回転固定部材の回収時、回転固定部材が六角レンチの先端に軽く固着状態で回収されるので、回転固定部材の回収作業がスムーズに実施することが可能となる。
回転固定部材物体を、物体に螺着される雄ネジ部を有する部材とすることで、一般的に使用される回転固定部材に適用することが可能となる。
回転固定部材を、筒状のアンカー本体と、該アンカー本体の先端側に形成され周方向に等間隔に軸方向に伸びる複数のスリットにより複数に分割されバネ性を備えた板状部と板状部の先端に形成され板状部より肉厚な固定部と先端に向かって徐々に内側方向に向かって傾斜するように形成された内面を有する拡開片と、アンカー本体の非拡開部側内面に形成された雌ねじと、アンカー本体に挿入可能な略円柱形状で先端に載頭円錐形状の先端部と後端側にアンカー本体に形成した雌ねじと螺合する雄ねじと後端面に六角レンチ穴を形成した雄ねじ体とで構成されるあと施工アンカーとし、雄ねじ体の雄ねじをアンカー本体の雌ねじに螺合して雄ねじ体を回転しつつ前進させ雄ねじ体の先端載頭円錐形状の先端部を拡開片の先端に向かって徐々に内側方向に向かって傾斜するように形成された内面に回転しつつ当接して拡開片を拡開し固定部の外面をアンカー挿嵌穴の穴壁に押圧して回転固定部材をアンカー挿嵌穴に固定し、雄ねじ体を逆方向に回転して後退させ板状部のバネ性により拡開片の拡開を閉じ回収し再使用可能とすることで、今まで回収再使用が困難であったあと施工アンカーにも適用することが可能となる。
【図面の簡単な説明】
【００１１】
【図１】本発明の実施形態を示す図である。
【図２】本発明の実施形態を示す図である。
【図３】（ａ）（ｂ）本発明の実施形態を示す図である。
【図４】本発明の実施形態を示す図である。
【図５】本発明の実施形態を示す図である。
【図６】本発明の実施形態を示す図である。
【図７】本発明の実施形態を示す図である。
【図８】本発明の実施形態を示す図である。
【図９】（ａ）（ｂ）本発明の実施形態を示す図である。
【図１０】本発明の実施形態を示す図である。
【図１１】本発明の実施形態を示す図である。
【発明を実施するための形態】
【００１２】
図１〜図８は、回収可能な回転固定部材としてあと施工アンカーに適用した実施形態を示す。
【００１３】
回収可能な回転固定部材であるあと施工アンカー１は、筒状のアンカー本体１０と雄ねじ体３０とで構成される。図１、図２に示されるアンカー本体１０は、先端側に形成され周方向に等間隔に軸方向に伸びる複数のスリット１６により複数に分割された拡開片４０を有している。また、アンカー本体１０の非拡開部側内面には、雌ねじ１８が形成される。アンカー本体１０及び雄ねじ体３０は、鋼等の金属や強化樹脂等の樹脂で形成される。
【００１４】
アンカー本体１０の一方の後端にフランジ１２が形成され、フランジ１２とアンカー本体１０の外周部との間に補強リブ１４が形成される。フランジ１２は、構造物Ｃに形成されたアンカー挿嵌穴の入口周辺部に係止される。
【００１５】
アンカー本体１０の先端部側に等間隔で軸方向に伸びる複数のスリット１６が形成される。複数のスリット１６により複数の拡開片４０が形成される。拡開片４０は板状部２２と板状部２２の先端に形成される固定部２０により構成される。
【００１６】
拡開片４０の板状部２２は、アンカー本体１０の円筒形の非拡開部から先端に向かって内側に傾斜した外表面を有する。板状部２２の先端から上方向に傾斜する段差部２２ａを介して固定部２０が形成される。その結果、板状部２２は固定部２０の厚さより薄く形成される。板状部２２と固定部２０からなる拡開片４０の内面２４ａは、先端に向かって内側に傾斜する傾斜面にする。
【００１７】
拡開片４０の板状部２２の外表面は段差部２２ａを介して固定部２０と区画され、固定部２０の厚みより薄く形成されるためバネ性を有する。
【００１８】
この実施形態では拡開片４０を６個にしているが、必ずしも６個に限定するものではないが、バランスの良い板状部２０のバネ性の確保と固定部２０の固定力を考慮すると６個が望ましい。
【００１９】
アンカー本体１０の非拡開部側の内面に雌ねじ１８が形成される。
【００２０】
図３（ａ）（ｂ）（ｃ）は，雄ねじ体３０を示す図である。雄ねじ体３０は、先端に截頭円錐形状の先端部３４が形成され、後端側にアンカー本体１０の非拡開部側の内面に形成した雌ねじ１８と螺合する雄ねじ３２が形成される。雄ねじ体３０の後端面に回転工具である六角レンチ４１が係合し回転力が伝達される六角レンチ穴３６が形成される。六角レンチ穴３６は、先端に行くにしたがい縮径するテーパー状に形成される。
【００２１】
テーパー状の六角レンチ穴３６の寸法は、例えば、六角レンチの寸法を５ｍｍとした場合、最大値で５．１９〜５．２９ｍｍ、最小値で４．８１〜４．９１ｍｍ程度で、六角レンチ穴３６の深さは、４〜６．１１ｍｍにする。但し、上記数値限定は単に一実施形態を示すもので、この数値限定に限定されるものではない。六角レンチ穴３６をテーパー状にする作用、効果については後述する。
【００２２】
以上のような構成のあと施工アンカー１の使用方法を説明する。図４に示すように構造物や物体Ｃのあと施工アンカー１の挿嵌させたい位置に、ドリルを用いてアンカー挿嵌穴ＣＨを穿孔する。アンカー挿嵌穴ＣＨの深さは、あと施工アンカー１が挿入されて収まる深さであり、アンカー挿嵌穴ＣＨの内径はあと施工アンカー１の拡開前の外径よりわずかに大きいサイズとし、拡開前のあと施工アンカー１のアンカー挿嵌穴ＣＨへの挿入を容易とする。
【００２３】
図５に示すように、あと施工アンカー本体１０をアンカー挿嵌穴ＣＨに挿入する。アンカー本体１０のフランジ１２がアンカー挿嵌穴ＣＨの開口入口の周囲に係止するまで挿入する。そしてアンカー本体１０に雄ねじ体３０を截頭円錐形状の先端部３４から挿入する。
【００２４】
アンカー挿嵌穴ＣＨに挿入されたアンカー本体１０に雄ねじ体３０を挿入していくと、雄ねじ体３０の雄ねじ３２がアンカー本体１０の非拡開部側の内面に形成した雌ねじ１８に至る。そこから、雄ねじ体３０の後端面に形成した六角レンチ穴３６に六角レンチ４１を係合させ回転させることにより、雄ねじ体３０の雄ねじ３２とアンカー本体１０の雌ねじ１８が螺合しつつ雄ねじ体３０が回転しつつ前進する。
【００２５】
六角レンチ穴３６は、先端にいくにしたがって縮径するテーパー状なので六角レンチ４１の先端は六角レンチ穴３６と点接触し全体としては六角レンチ穴３６に線接触するので六角レンチ４１の回転力を分散することでなめにくい構造になっている。
【００２６】
雄ねじ体３０がアンカー本体１０の内面を回転しつつ前進すると、雄ねじ体３０の截頭円錐形状の先端部３４が、板状部２２と固定部２０からなる拡開片４０の先端に向かって内側に傾斜する内面２４ａに回転しつつ当接する。雄ねじ体３０の回転を伴った前進に従い、雄ねじ体３０の截頭円錐形状の先端部３４と拡開片４０の内面２４ａとの楔作用により拡開片４０の固定部２２が板状部２２のバネ性に抗して外側方向に拡開する。これにより、拡開片４０の固定部２０の外面がアンカー挿嵌穴ＣＨの穴壁に押圧されあと施工アンカー１がアンカー挿嵌穴ＣＨに固定される。截頭円錐形状の先端部３４と拡開片４０の内面２４ａとの楔作用は回転が伴うため大きな拡開力が発生し、拡開片４０の固定部２０の外面がアンカー挿嵌穴ＣＨの穴壁の強力な押し込み力により押しつけられる。その際、拡開片４０の板状部２２は、穴壁に押し付けられないので
塑性変形せずバネ性が維持される。
【００２７】
図７に示されるように、構造物Ｃからあと施工アンカー１を回収する時は、雄ねじ体３０の六角レンチ穴３６に六角レンチ４１を係合し、固定時とは逆方向の回転力を加え雄ねじ体３０を後退させる。雄ねじ体３０を後退させるに従い外側方向に拡開した固定部２０が板状部２２のバネ性により元の状態に戻る。板状部２２のバネ性を確保するために、板状部２２はアンカー本体１０より小径で外側表面を平面または曲面とし板状部２２の厚みは固定部の厚みより薄くする。板状部２２のバネ性により固定部２０の拡開状態がスムーズに解消されるので、あと施工アンカー１のアンカー挿嵌穴ＣＨからの回収を容易に実施することが可能となる。
【００２８】
図８に示されるように、六角レンチ４１によりあと施工アンカー１をアンカー挿嵌穴ＣＨから引き抜く時、雄ねじ体３０のテーパー状の六角レンチ穴３６に六角レンチ４１の先端が点接触により軽い固着状態にあるためあと施工アンカー１を六角レンチ４１と一緒に引き抜くことが可能となる。もし、六角レンチ穴３６がストレートの場合、固定が解除されたあと施工アンカー１から六角レンチを引き抜くと、あと施工アンカー１はアンカー挿嵌穴ＣＨに取り残された状態となり、あと施工アンカー１をアンカー挿嵌穴ＣＨから取り出す作業が必要になる。
【００２９】
図９（ａ）（ｂ）、図１０は、回収可能な回転固定部材として物体に形成された雌ねじ穴４２に螺着される外周に雄ねじ４３を形成した固定部材４４に適用した実施形態を示す図である。
【００３０】
外周に雄ねじ４３を形成した固定部材４４には、先端にいくにしたがって縮径するテーパー状の六角レンチ穴４５が形成される。物体又は構造物に形成された雌ねじ穴４２に六角レンチ４１の回転力により固定され、逆方向の回転により雌ねじ穴４２から回収される。図１０に示されるように、螺着が解除された固定部材４４を六角レンチ４１と一緒に引き抜くと、固定部材４４のテーパー状の六角レンチ穴４１に六角レンチ４１の先端が点接触により軽い固着状態にあるため固定部材４４を六角レンチ４１と一緒に引き抜くことが可能となる。もし、六角レンチ穴４５がストレートの場合、螺着が解除されたあと固定部材４４は六角レンチを引き抜くと落下してしまいそれを拾い集める作業が必要になる。
【００３１】
図１１は、回収可能な回転固定部材として、外周に雄ねじ４６を形成し、物体に螺着される木ビス等の固定部材４７に適用した実施形態を示す図である。あと施工アンカー１、固定部材４４と同様に、固定部材４７にも、先端にいくにしたがって縮径するテーパー状の六角レンチ穴４８が形成される。六角レンチ穴４８の作用、効果は、前述のあと施工アンカー１及び固定部材４４の場合と同様であるので説明を省略する。
【００３２】
以上のように、本発明の回収可能な回転固定部材の六角レンチ穴構造によれば、六角レンチの先端が六角レンチ穴と点接触し全体としては六角レンチ穴に線接触するので六角レンチの回転力が効率良く回転固定部材に伝達され、回転固定部材の回収時、回転固定部材が六角レンチの先端に軽く固着状態で回収されるので、回転固定部材の回収作業がスムーズに実施することが可能となる。
【符号の説明】
【００３３】
１・・あと施工アンカー、１０・・アンカー本体、１２・・フランジ、
１４・・補強リブ、１６・・スリット、１８・・雌ねじ、２０・・固定部
２２・・板状部、２２ａ・・段差部、２４・・先端部、
２４ａ・・固定部内面、３０・・雄ねじ体、３２・・・雄ねじ
３４・・截頭円錐形状の先端部、３６・・六角レンチ穴、４０・・・拡開片
４１・・六角レンチ、４２・・雌ねじ穴、４３・・雄ねじ、４４・・固定部材、４５・・六角レンチ穴、４６・・雄ねじ、４７・・固定部材、
４８・・六角レンチ穴
【図１】
2018059566.tif 000003
【図２】
2018059566.tif 000004
【図３】
2018059566.tif 000005
【図４】
2018059566.tif 000006
【図５】
2018059566.tif 000007
【図６】
2018059566.tif 000008
【図７】
2018059566.tif 000009
【図８】
2018059566.tif 000010
【図９】
2018059566.tif 000011
【図１０】
2018059566.tif 000012
【図１１】
2018059566.tif 000013